【事件の表示】
　特許第２７１６７７３号「選択呼出受信機及び無線機」の請求項１ないし２に係る特許に対する特許異議の申立てについて、次のとおり決定する。
【結論】
　訂正を認める。
　特許第２７１６７７３号の請求項１ないし２に係る特許を維持する。
【理由】
（Ｉ）手続きの経緯
　本件特許第２７１６７７３号に係る発明についての出願は、平成１年１月１９日付で特許出願がなされ、平成９年１１月７日付けでその発明について特許の設定登録がなされ、その後、平成１０年８月１８日付けで兒玉恭子、佐藤勝明より特許異議の申立がなされ、平成１０年１２月７日付けで取消理由の通知がなされ、この取消理由の通知に対し、その指定期間内の平成１１年２月２２日付けで訂正請求がなされ、平成１１年６月２５日付けで訂正拒絶理由の通知がなされ、この訂正拒絶理由に対して、その指定期間内の平成１１年９月７日付けで手続補正がなされたものである。
（ＩＩ）訂正の適否についての判断
　ア．訂正請求に対する補正の適否について
　補正の内容は、平成１１年２月２２日付け訂正明細書について、
　（１）同訂正明細書中の特許請求の範囲を、次のように補正する。
　　　　　　　　　　　　　　記
（１）基地局から送信された選択呼出信号を受信し、この選択呼出信号中の個別呼出符号と予め設定してある自機の個別番号符号が一致した場合に呼出報知を行い、前記選択呼出信号中のメッセージ符号をメッセージ情報として表示手段に表示し、メッセージ情報表示後、一定時間操作が行われなかった場合には自動的にメッセージ情報の表示を消す選択呼出受信機において、
　前記メッセージ符号を前記表示手段が表示するメッセージ情報として記憶する記憶手段と、
　前記表示手段が表示する前記記憶手段に記憶されたメッセージ情報を切り替える切替手段と、
　前記記憶手段が記憶する全てのメッセージ情報を表示したか否かを判別する判別手段と、
　この判別手段の結果に基づき、前記切替手段が押し続けられる場合、前記記憶手段からメッセージ情報を順次読み出し、全てのメッセージ情報を前記表示手段に表示させる表示制御手段と
　を具備することを特徴とする選択呼出受信機。
（２）基地局から送信された情報を受信し、この受信情報を表示手段に表示し、前記受信情報表示後、一定時間操作が行われなかった場合には自動的に前記受信情報の表示を消す無線機において、
　前記受信情報を記憶する記憶手段と、
　前記表示手段が表示する前記記憶手段に記憶される受信情報を切り替える切替手段と、
　前記記憶手段が記憶する全ての受信情報を表示したか否かを判別する判別手段と、
　この判別手段の結果に基づき、前記切替手段が押し続けられる場合、前記記憶手段から受信情報を順次読み出し、全ての受信情報を前記表示手段に表示させる表示制御手段と
　を具備することを特徴とする無線機。
（２）同訂正明細書第３頁第２行目乃至第１８行目を以下のように訂正する。
　　　　　　　　　　　　　　記
　本発明の第１の発明は、基地局から送信された選択呼出信号を受信し、この選択呼出信号中の個別呼出符号と予め設定してある自機の個別番号符号が一致した場合に呼出報知を行い、前記選択呼出信号中のメッセージ符号をメッセージ情報として表示手段に表示し、メッセージ情報表示後、一定時間操作が行われなかった場合には自動的にメッセージ情報の表示を消す選択呼出受信機において、前記メッセージ符号を前記表示手段が表示するメッセージ情報として記憶する記憶手段と、前記表示手段が表示する前記記憶手段に記憶されたメッセージ情報を切り替える切替手段と、前記記憶手段が記憶する全てのメッセージ情報を表示したか否かを判別する判別手段と、この判別手段の結果に基づき、前記切替手段が押し続けられる場合、前記記憶手段からメッセージ情報を順次読み出し、全てのメッセージ情報を前記表示手段に表示させる表示制御手段とを具備することを特徴とする選択呼出受信機である。
　また、本発明の第２の発明は、基地局から送信された情報を受信し、この受信情報を表示手段に表示し、前記受信情報表示後、一定時間操作が行われなかった場合には自動的に前記受信情報の表示を消す無線機において、前記受信情報を記憶する記憶手段と、前記表示手段が表示する前記記憶手段に記憶される受信情報を切り替える切替手段と、前記記憶手段が記憶する全ての受信情報を表示したか否かを判別する判別手段と、この判別手段の結果に基づき、前記切替手段が押し続けられる場合、前記記憶手段から受信情報を順次読み出し、全ての受信情報を前記表示手段に表示させる表示制御手段とを具備することを特徴とする無線機である。
（３）同訂正明細書の第２頁第２４行目乃至２８行目に、
「以上述べたように…ことを目的とする」
　とあるを、
「以上述べた様に、記憶されているメッセージを検索するためにはその都度切替スイッチを押さなければならず、メッセージを検索するためには何回か切替ボタンを押さなければならなかった。
　そこで、本発明ではこれらの問題点を除去し、メッセージの検索を容易に、かつ確実に行うことができる選択呼出受信機及び無線機を提供することを目的とする。」
　と補正する。
（４）同訂正明細書の第３頁２０行目乃至第２２行目に、
「本発明は、…必要がなくなる」
　とあるを、
「本発明は、スイッチをある一定時間以上押し続けると表示されるメッセージが一定時間ごとに次々と切り替わる、このため、記憶されたメッセージの検索が容易になり、何回もスイッチを押す必要がなくなる。さらには、記憶されたメッセージが全て表示されるため、メッセージの検索を確実に行うことができる。」
　と補正する。
（５）同訂正明細書の第５頁第４行目乃至第８行目に、
「以上述べた様に、…使い勝手が向上する。」
　とあるを、「以上述べた様に、本発明の選択呼出受信機及び無線機では、記憶されたメッセージの内容を見たい場合にはスイッチを押し続けることにより、メッセージ内容を次々と切替えて表示することができるため、スイッチを何度も押す必要がなくなり、メッセージの内容を容易に検索できるようになる。さらには、記憶されたメッセージが全て表示されるため、メッセージの検索を確実に行うことができる。また、選択呼出受信機及び無線機の操作が簡略化でき、使い勝手が向上する。」
　と補正する。
、というものである。
　前記補正事項について検討すると、前記（１）の補正は、訂正明細書の請求項１及び２中の「切替手段を押し続けること」による動作をより限定するとともに、そのために必要な判別手段を限定するものであり、特許請求の範囲の減縮を目的とするものである。前記（２）〜（５）の補正は、前記（１）における請求項の補正に対応して、訂正明細書の発明の詳細な説明を補正するものであり、明りょうでない記載の釈明を目的とするものである。そして、これらの補正は、全文訂正明細書又は図面に記載した事項の範囲内においてなされており、実質上特許請求の範囲を拡張又は変更するものではなく、特許法第１２０条の４第３項において準用する同法第１３１条第２項の規定に適合する。
　イ．訂正の内容
　補正された訂正の内容は、特許明細書について、下記（１）〜（５）のように訂正するというものである。
（１）明細書の特許請求の範囲を、以下、のように訂正する。
　　　　　　　　　　　　記
（１）基地局から送信された選択呼出信号を受信し、この選択呼出信号中の個別呼出符号と予め設定してある自機の個別番号符号が一致した場合に呼出報知を行い、前記選択呼出信号中のメッセージ符号をメッセージ情報として表示手段に表示し、メッセージ情報表示後、一定時間操作が行われなかった場合には自動的にメッセージ情報の表示を消す選択呼出受信機において、
　前記メッセージ符号を前記表示手段が表示するメッセージ情報として記憶する記憶手段と、
　前記表示手段が表示する前記記憶手段に記憶されたメッセージ情報を切り替える切替手段と、
　前記記憶手段が記憶する全てのメッセージ情報を表示したか否かを判別する判別手段と、
　この判別手段の結果に基づき、前記切替手段が押し続けられる場合、前記記憶手段からメッセージ情報を順次読み出し、全てのメッセージ情報を前記表示手段に表示させる表示制御手段と
　を具備することを特徴とする選択呼出受信機。
（２）基地局から送信された情報を受信し、この受信情報を表示手段に表示し、前記受信情報表示後、一定時間操作が行われなかった場合には自動的に前記受信情報の表示を消す無線機において、
　前記受信情報を記憶する記憶手段と、
　前記表示手段が表示する前記記憶手段に記憶される受信情報を切り替える切替手段と、
　前記記憶手段が記憶する全ての受信情報を表示したか否かを判別する判別手段と
　この判別手段の結果に基づき、前記切替手段が押し続けられる場合、前記記憶手段から受信情報を順次読み出し，全ての受信情報を前記表示手段に表示させる表示制御手段と
　を具備することを特徴とする無線機。
（２）明細書第４頁第２行目乃至第１２行目を以下のように訂正する。
　　　　　　　　　　　　　　記
　本発明の第１の発明は、基地局から送信された選択呼出信号を受信し、この選択呼出信号中の個別呼出符号と予め設定してある自機の個別番号符号が一致した場合に呼出報知を行い、前記選択呼出信号中のメッセージ符号をメッセージ情報として表示手段に表示し、メッセージ情報表示後、一定時間操作が行われなかった場合には自動的にメッセージ情報の表示を消す選択呼出受信機において、前記メッセージ符号を前記表示手段が表示するメッセージ情報として記憶する記憶手段と、前記表示手段が表示する前記記憶手段に記憶されたメッセージ情報を切り替える切替手段と、前記記憶手段が記憶する全てのメッセージ情報を表示したか否かを判別する判別手段と、この判別手段の結果に基づき、前記切替手段が押し続けられる場合、前記記憶手段からメッセージ情報を順次読み出し、全てのメッセージ情報を前記表示手段に表示させる表示制御手段とを具備することを特徴とする選択呼出受信機である。
　また、本発明の第２の発明は、基地局から送信された情報を受信し、この受信情報を表示手段に表示し、前記受信情報表示後、一定時間操作が行われなかった場合には自動的に前記受信情報の表示を消す無線機において、前記受信情報を記憶する記憶手段と、前記表示手段が表示する前記記憶手段に記憶される受信情報を切り替える切替手段と、前記記憶手段が記憶する全ての受信情報を表示したか否かを判別する判別手段と、この判別手段の結果に基づき、前記切替手段が押し続けられる場合、前記記憶手段から受信情報を順次読み出し、全ての受信情報を前記表示手段に表示させる表示制御手段とを具備することを特徴とする無線機である。
（３）明細書の第３頁第１３行目乃至１９行目に、
「以上述べたように…ことを目的とする」
　とあるを、
「以上述べた様に、記憶されているメッセージを検索するためにはその都度切替スイッチを押さなければならず、メッセージを検索するためには何回か切替ボタンを押さなければならなかった。
　そこで、本発明ではこれらの問題点を除去し、メッセージの検索を容易に、かつ確実に行うことができる選択呼出受信機及び無線機を提供することを目的とする。」
　と訂正する。
（４）明細書の第４頁１３行目乃至第１８行目に、
「本発明は、…必要がなくなる」
　とあるを、
「本発明は、スイッチをある一定時間以上押し続けると表示されるメッセージが一定時間ごとに次々と切り替わる、このため、記憶されたメッセージの検索が容易になり、何回もスイッチを押す必要がなくなる。さらには、記憶されたメッセージが全て表示されるため、メッセージの検索を確実に行うことができる。」
　と訂正する。
（５）明細書第８頁第１行目乃至第８行目に、
「以上述べた様に、…使い勝手が向上する。」
　とあるを、
「以上述べた様に、本発明の選択呼出受信機及び無線機では、記憶されたメッセージの内容を見たい場合にはスイッチを押し続けることにより、メッセージ内容を次々と切替えて表示することができるため、スイッチを何度も押す必要がなくなり、メッセージの内容を容易に検索できるようになる。さらには、記憶されたメッセージが全て表示されるため、メッセージの検索を確実に行うことができる。また、選択呼出受信機及び無線機の操作が簡略化でき、使い勝手が向上する。」
　と訂正する。
　ウ．訂正の目的の適否、新規事項の有無及び拡張・変更の存否の検討
　前記訂正事項（１）は、補正された訂正明細書請求項１、２の記載中の「前記切替手段が押し続けられる場合」なる記載からみて「切替手段」は「切替スイッチ」と同じ意味であると解されるところ、補正された訂正明細書の請求項１では、特許明細書請求項１の「前記表示部に表示するメッセージを切り替える切替スイッチを切替える切替スイッチを押し付けた場合」の動作をより限定するとともに、それに関連して必要な「切替手段」、「記憶手段」、「判別手段」を限定したものであり、また、補正された訂正明細書の請求項２では特許明細書の請求項２の「スイッチを押し続ける」ことのスイッチを限定し、「スイッチを押し続ける」ことによる動作をより限定するとともに、それに関連して必要な「切替手段」、「記憶手段」、「判別手段」を限定するものであり、特許請求の範囲の減縮を目的とするものである。訂正事項（２）〜（５）は、訂正事項（１）の請求項１、２の訂正に対応して特許明細書の発明の詳細な説明を訂正するものであり、明りょうでない記載の釈明を目的とするものである。そして、これらの訂正は、願書に添付した明細書又は図面に記載した事項の範囲内においてなされており、また実質上特許請求の範囲を拡張又は変更するものではない。
　エ．独立特許要件に関する検討
　（補正された訂正明細書請求項１、２に係る発明）
　補正された訂正明細書の請求項１、２に係る発明（以下、各々「本件訂正第１発明」、「本件訂正第２発明」という。）は、その請求項１、２に記載されたとおりの次のものと認められる。
　「（１）基地局から送信された選択呼出信号を受信し、この選択呼出信号中の個別呼出符号と予め設定してある自機の個別番号符号が一致した場合に呼出報知を行い、前記選択呼出信号中のメッセージ符号をメッセージ情報として表示手段に表示し、メッセージ情報表示後、一定時間操作が行われなかった場合には自動的にメッセージ情報の表示を消す選択呼出受信機において、
　前記メッセージ符号を前記表示手段が表示するメッセージ情報として記憶する記憶手段と、前記表示手段が表示する前記記憶手段に記憶されたメッセージ情報を切り替える切替手段と、
　前記記憶手段が記憶する全てのメッセージ情報を表示したか否かを判別する判別手段と、
　この判別手段の結果に基づき、前記切替手段が押し続けられる場合、前記記憶手段からメッセージ情報を順次読み出し、全てのメッセージ情報を前記表示手段に表示させる表示制御手段と
　を具備することを特徴とする選択呼出受信機。
（２）基地局から送信された情報を受信し、この受信情報を表示手段に表示し、前記受信情報表示後、一定時間操作が行われなかった場合には自動的に前記受信情報の表示を消す無線機において、
　前記受信情報を記憶する記憶手段と、
　前記表示手段が表示する前記記憶手段に記憶される受信情報を切り替える切替手段と、
　前記記憶手段が記憶する全ての受信情報を表示したか否かを判別する判別手段と、
　この判別手段の結果に基づき、前記切替手段が押し続けられる場合、前記記憶手段から受信情報を順次読み出し、全ての受信情報を前記表示手段に表示させる表示制御手段と
　を具備することを特徴とする無線機。」
　（引用刊行物記載の発明）
　訂正明細書の請求項１及び２に係る発明に対し、当審が訂正拒絶理由で引用した、刊行物１（特開昭５８−１３８１３６号公報）には、下記（ａ）、（ｂ）、（ｃ）、（ｄ）、（ｅ）の事項を構成とする発明（以下、「刊行物１記載の発明」という。）が記載されている。
（ａ）アンテナ１で受信された無線信号は受信機２、波形整形回路デコード部４に入力され、デコード部４では、ＰＲＯＭ５に書き込まれている内容に一致する呼出番号が検出されると、直ちにアラート信号を出力すると同時に、呼出番号に後続する情報信号を検出し、出力されたアラート信号は増幅器６で増幅されスピーカ７を駆動するとともに、検出された情報信号は表示器８で表示される。（２頁右上欄４〜１８行参照）、
（ｂ）フローチャートの１２で呼出信号を受信すると、呼出番号に続く情報信号を１３で検出でして処理を処理を行うとともにアラートトーンを発生し、１５で前記情報信号の内容を可視表示器に表示し、さらに１６で、８秒タイマーをスタートさせ、１７により、８秒経過すると、１９へ進んでアラートトーン及びディスプレイは停止する。（３頁右上欄１０〜左下欄８行及び第４図のスッテプ１１〜１９参照）、
（ｃ）データメモリ４−１０は、入力ポート４−１からデータバス４−２へ呼出信号に続いて与えられた情報信号の内容を格納し、その内容はデータメモリ４−１０に内蔵されているタイマの制御により予め決められた時間、表示コントロール／ドライバ４−１１を介してＬＣＤ８に与えられ、表示される。（２頁右下欄５〜１１行）
（ｄ）待ち受け状態において、２８によりリセットボタンが押されると、３１で最も新しいメッセージの内容を表示し、３４でリセットボタンを離してから８秒経過以前にリセットボタンが押されると、３５で検出され、２９にもどって３０に進みメモリを更新して、新たなメモリを表示する。（３頁左下欄１５行〜右下欄５行及び第３図ステップ２８〜３７参照）、
（ｅ）表示付個別選択呼出受信機であること。
（対比、判断）
　（本件訂正第１発明）
　本件訂正第１発明と刊行物１記載の発明とを対比すると、刊行物１記載の発明おける、「呼出信号」、「呼出番号」、「ＰＲＯＭ５に書き込まれている内容」、「アラートトーンを発生」、「情報信号」、「表示器」、「表示付個別選択呼出受信機」、「データメモリ」、「リセットボタン」は、各々本件第１発明における、「選択呼出信号」、「個別呼出符号」、「自機の個別番号符号」、「呼出報知」、「メッセージ符号」、「表示部」、「選択呼出受信機」、「記憶手段」、「切替手段」に相当しており、刊行物１記載の発明おける、（ｂ）中の「８秒経過」の「８秒」は、各々本件訂正第１発明の「一定時間」に包含され、刊行物１記載の発明おける、「呼出信号」が基地局から送信されることは常識であるので、本件訂正第１発明と刊行物１記載の発明とは、
「基地局から送信された選択呼出信号を受信し、この選択呼出信号中の個別呼出符号を予め設定してある自機の個別番号符号が一致した場合に呼出報知を行い、前記選択呼出信号中のメッセージ符号をメッセージ情報として表示手段に表示し、メッセージ情報表示後、一定時間操作が行われなかった場合には自動的にメッセージ情報の表示を消す選択呼出受信機において、
前記メッセージ符号を前記表示手段が表示するメッセージ情報として記憶する記憶手段と、
前記表示手段が表示する前記記憶手段に記憶されたメッセージ情報を切り替える切替手段と
　を具備する選択呼出受信機。」で一致しているが、
　（１）本件訂正第１発明が、記憶手段が記憶する全てのメッセージ情報を表示したか否かを判別する判別手段を有し、この判別手段の結果に基づき、前記切替手段が押し続けられる場合、前記記憶手段からメッセージ情報を順次読み出し、全てのメッセージ情報を前記表示手段に表示させる表示制御手段をもつ点については、刊行物１記載の発明には記載されていない。
　つぎに相違点について検討すると、記憶手段が記憶する全てのメッセージ情報を表示したか否かを判別する判別手段の結果に基づき、前記切替手段が押し続けられる場合、前記記憶手段からメッセージ情報を順次読み出し、全てのメッセージ情報を前記表示手段に表示させる表示制御手段については、本願出願前公知なものではなく、しかも係る構成により、本件訂正第１発明は、記憶されたメッセージの内容をみたい場合にはスイッチを押し続けることにより、メッセージの内容を次々と切替えて表示することができるため、スイッチを何度も押す必要がなくなり、メッセージの内容を容易に検索できるようになり、さらには、記憶されたメッセージが全て表示されるため、メッセージの検索を確実に行うことができるという効果を奏するものであり、本件訂正第１発明が刊行物１記載の発明から当業者が容易になし得たとすることはできない。
　（本件訂正第２発明）
　本件訂正第２発明と刊行物１記載の発明とを対比すると、刊行物１記載の発明おける、「情報信号」、「表示器」、「データメモリ」、「リセットボタン」は、各々本件第１発明における、「受信情報」、「表示手段」、「記憶手段」、「切替手段」に相当しており、刊行物１記載の発明おける、（ｂ）中の「８秒経過」の「８秒」、「表示付個別選択呼出受信機」は、各々本件第１発明の「一定時間」、「無線機」に包含され、刊行物１記載の発明おける、「呼出信号」が基地局から送信されることは常識であるので、本件訂正第２発明と刊行物１記載の発明とは、
　「基地局から送信された情報を受信し、この受信情報を表示手段に表示し、前記受信情報表示後、一定時間操作が行われなかった場合には自動的に前記受信情報の表示を消す無線機において、
　前記受信情報を記憶する記憶手段と、
　前記表示手段が表示する前記記憶手段に記憶されたる受信情報を切り替える切替手段と
　を具備する選択呼出受信機。」で一致し、
　（１）本件訂正第２発明が、記憶手段が記憶する全ての受信情報を表示したか否かを判別する判別手段を有し、この判別手段の結果に基づき、前記切替手段が押し続けられる場合、前記記憶手段から受信情報を順次読み出し、全ての受信情報を前記表示手段に表示させる表示制御手段をもつ点については、刊行物１記載の発明には記載されていない。
　つぎに相違点について検討すると、記憶手段が記憶する全ての受信情報を表示したか否かを判別する判別手段の結果に基づき、前記切替手段が押し続けられる場合、前記記憶手段から受信情報を順次読み出し、全ての受信情報を前記表示手段に表示させる表示制御手段については、本願出願前公知なものではなく、しかも係る構成により、本件訂正第２発明は、記憶された受信情報の内容をみたい場合にはスイッチを押し続けることにより、受信情報の内容を次々と切替えて表示することができるため、スイッチを何度も押す必要がなくなり、受信情報の内容を容易に検索できるようになり、さらには、記憶された受信情報が全て表示されるため、受信情報の検索を確実に行うことができるという効果を奏するものであり、本件訂正第２発明が刊行物２記載の発明から当業者が容易になし得たとすることはできない。
　結局のところ、本件訂正第１、２発明は、特許出願の際独立して特許を受けることができるものである。
　オ．訂正についての法の適用及び認否
　以上のとおりであるから、前記訂正請求は、特許法等の一部を改正する法律（平成６年法律第１１６号）附則第６条第１項の規定によりなお従前の例とされる、特許法第１２０条の４第２項の規定及び同条第３項で準用する同法第１２６条第２〜４項の規定に適合するから、当該訂正は認める。
（ＩＩＩ）特許異議申立てに対する検討
　ア．申立ての理由の概要
　特許異議申立人　兒玉恭子は、甲第１号証（特開昭５７−１７１８４９号公報：刊行物３）、甲第２号証（特開昭６０−２３０７２６号公報：刊行物４）、甲第３号証（特開昭６０−７４７３６号公報：刊行物５）、甲第４号証（特開昭６１−５９９２２号公報：刊行物６）、甲第５号証（特開昭６３−３１３９２３号公報：刊行物７）、甲第６号証（特開昭６２−１３６８０９号公報：刊行物８）、甲第７号証（特開昭５８−１０３０６９号公報：刊行物９）、甲第８号証（特開昭５７−１０８９６０号公報：刊行物１０）記載の発明から、また、特許異議申立人　佐藤勝明は甲第１号証（特開昭５８−１３８１３６号公報：刊行物１）、甲第２号証（特開昭５５−７８２８３号公報：刊行物２）記載の発明から、請求項１、２に係る発明は、容易に発明できたものであり、特許法第２９条第２項の規定により特許を受けることができないものであるから、特許を取り消すべき旨主張している。
　イ．特許法第２９条第２項に対する検討
　（請求項１、２に係る発明）
　請求項１、２に係る発明は、（以下、「本件第１発明」、「本件第２発明」という。）は補正された訂正明細書及び図面の記載からみて、その特許請求の範囲の請求項１、２に記載された事項により特定されるとおりのものであり、前記（ＩＩ）エ．独立特許要件に関する検討　　（補正された訂正明細書請求項１、２に係る発明）に記載されたとおりのものである。
（各刊行物記載の発明）
　刊行物１：特開昭５８−１３８１３６号公報
　前記（ＩＩ）エ．独立特許要件に関する検討
（引用刊行物記載の発明）で記載したとおりのものである。
　刊行物２：特開昭５５−７８２８３号公報
　「本来、ＯＮする毎にメモリー回路７から語句の対を一対づつ読み出して表示部に表示させるスイッチ１７を、ある一定時間以上押し続けると、語句を早送りして、語句を連続的に順次読み出して表示する電子腕時計。」
　刊行物３：特開昭５７−１７１８４９号公報
　「選択呼出信号にメッセージ信号を付加するサービスを、ｎ個分の記憶容量をもつ受信機で且つ記憶モードで使用するとき、受信機が記憶内容を確認する方法として、記憶読み出しスイッチを操作することにより、受信機が連続して対応するｎ個の記憶エリアを読み出して表出装置を駆動するものと、所持者が記憶読み出しスイッチを一回一回総計ｎ回操作することにより行う方法がある。」ことが記載されている。
　刊行物４：特開昭６０−２３０７２６号公報
　「基地局から送信された選択呼出信号を受信し、この選択呼出信号中の個別呼出符号と予め設定してある自機の個別番号符号が一致した場合に呼出報知を行い、前記選択呼出信号中のメッセージ符号をメッセージとしてＬＣＤに表示する選択呼出受信機において、
　前記メッセージ符号を前記表示手段が表示するメッセージとして記憶するＲＡＭと、
　前記ＬＣＤが表示する前記ＲＡＭに記憶されたメッセージを切り替えるリセットスイッチと、
　リセットスイッチを使うと各メッセージの全文を表示してゆき全てのメッセージの表示が終了したところで読み出しモードからぬけ出す選択呼出受信機。」
　刊行物５：特開昭６０−７４７３６号公報
　「基地局から送信された選択呼出信号を受信し、この選択呼出信号中の個別呼出符号と予め設定してある自機の個別番号符号が一致した場合に呼出報知を行い、前記選択呼出信号中のメッセージ符号をメッセージとしてＬＣＤに表示する選択呼出受信機において、
　前記メッセージ符号を前記表示手段が表示するメッセージとして記憶するＲＡＭと、
　スイッチＳＷ１の押し下げによりスクロール動作の設定モードとなり、読出表示におけるスクロール動作の自動／手動の切替が行われる選択呼出受信機。」
　刊行物６：特開昭６１−５９９２２号公報
　「選択呼出受信機もメッセージの表示において、クロール・スイッチがＯＮを継続していると所定のメッセージのスクロールが行われ、プッシュスイッチＰＳＷによりＯＮ（第８図ステップ９７Ａ）により次のメッセージの表示に移行する。」ことが記載されている。
　刊行物７：特開昭６３−３１３９２３号公報
　「基地局から送信された選択呼出信号を受信し、この選択呼出信号中の個別呼出符号と予め設定してある自機の個別番号符号が一致した場合に呼出報知を行い、前記選択呼出信号中のメッセージ符号をメッセージとしてＬＣＤに表示し、メッセージ情報表示後、一定時間操作が行われなかった場合には自動的にメッセージ情報の表示を消す選択呼出受信機において、
　前記メッセージ符号を前記表示手段が表示するメッセージとして記憶するＲＡＭと、
　前記ＬＣＤが表示する前記ＲＡＭに記憶されたメッセージを切り替えるリードスイッチと、
　リセットスイッチからの入力があると、一つのメッセージの内容を数分割して順次画面に表示し、内容の最後を示す最後の画面の次ぎには、次のメッセージの先頭画面を表示し、最古メッセージの文末の場合は表示を終了する選択呼出受信機。」
　刊行物８：特開昭６２−１３６８０９号公報
　「スクロールキーを押し続けることにより順次他の見出し項目を呼び出して表示部に表示すること。」
　刊行物９：特開昭５８−１０３０６９号公報
　「単語サーチキーＯＮすると、単語サーチキーＯＮして離す毎に単語をメモリから１つづつ読み出して表示部に表示し、単語サーチキースイッチを、ある一定時間以上押し続けると、単語を連続的に順次読み出して表示する情報検索装置。」
　刊行物１０：特開昭５７−１０８９６０号公報
　「キー入力部からアルファベットキーを操作して「ａ」、「ｂ」と入力し、前進キーＰ１を押すと、「ａ　ｂ」で始まる最初の単語が検索され表示され、引き続き前進キーＰ１を押し続けると、対応する英単語を早送りで表示してゆく。」ことが記載されている。
　（対比・判断）
（本件第１発明）
　本件第１発明と前記各刊行物記載の発明を対比すると、各刊行物には本件第１発明の「記憶手段が記憶する全てのメッセージ情報を表示したか否かを判別する判別手段の結果に基づき、切替手段が押し続けられる場合、前記記憶手段からメッセージ情報を順次読み出し、全てのメッセージ情報を表示手段に表示させる表示制御手段」については、記載されていない。
　即ち、刊行物４或いは７には、表示切替手段（リセットスイッチ、リードスイッチ）からの入力があると、メッセージの内容を順次画面に表示し、最古メッセージの終わりの場合は表示を終了すること及び、刊行物２或いは９には、表示切替手段（スイッチ１７、単語サーチキー）をＯＮして離す毎に単語をメモリから１つづつ読み出して表示部に表示させ、表示切替手段を、ある一定時間以上押し続けると、記憶された単語を連続的に順次読み出して表示する記載があるが、本件第１発明のように、切替手段が押し続けられる場合、の表示制御について、記憶手段が記憶する全ての受信情報を表示したか否かを判別する判別手段の結果に基づき、前記記憶手段からメッセージ情報を順次読み出し、全てのメッセージ情報を表示手段に表示させることについては記載されていない、また、他の刊行物にも係る構成については記載されていない。
　そして、係る構成により、本件第１発明は、記憶されたメッセージの内容をみたい場合にはスイッチを押し続けることにより、メッセージの内容を次々と切替えて表示することができるため、スイッチを何度も押す必要がなくなり、メッセージの内容を容易に検索できるようになり、さらには、記憶されたメッセージが全て表示されるため、メッセージの検索を確実に行うことができるという効果を奏するものであり、本件第１発明が刊行物１〜１０記載の発明から当業者が容易になし得たとすることはできない。
　（本件第２発明）
　本件第２発明と前記各刊行物記載の発明を対比すると、各刊行物には本件訂正第２発明の「記憶手段が記憶する全ての受信情報を表示したか否かを判別する判別手段の結果に基づき、切替手段が押し続けられる場合、前記記憶手段から受信情報を順次読み出し、全ての受信情報を表示手段に表示させる表示制御手段」については、記載されていない。
　即ち、刊行物４或いは７には、表示切替手段（リセットスイッチ、リードスイッチ）からの入力があると、メッセージの内容を順次画面に表示し、最古メッセージの終わりの場合は表示を終了すること及び、刊行物２或いは９には、表示切替手段（スイッチ１７、単語サーチキー）をＯＮして離す毎に単語をメモリから１つづつ読み出して表示部に表示させ、表示切替手段を、ある一定時間以上押し続けると、記憶された単語を連続的に順次読み出して表示する記載があるが、本件第２発明のように、切替手段が押し続けられる場合、の表示制御について、記憶手段が記憶する全ての受信情報を表示したか否かを判別する判別手段の結果に基づき、前記記憶手段から受信情報を順次読み出し、全ての受信情報を表示手段に表示させることについては記載されていない、また、他の刊行物にも係る構成については記載されていない。
　そして、係る構成により、本件第２発明は、記憶された受信情報の内容をみたい場合にはスイッチを押し続けることにより、受信情報の内容を次々と切替えて表示することができるため、スイッチを何度も押す必要がなくなり、受信情報の内容を容易に検索できるようになり、さらには、記憶された受信情報が全て表示されるため、受信情報の検索を確実に行うことができるという効果を奏するものであり、本件第２発明が刊行物１〜１０記載の発明から当業者が容易になし得たとすることはできない。
（ＩＶ）結び
　以上のとおりであるから、本件特許異議申立ての理由及び証拠によっては、本件請求項１及び２に係る発明の特許を取り消すことはできない。
　また、他に本件請求項１及び２に係る発明の特許を取り消す理由を発見しない。
　よって、結論のとおり決定する。
【異議決定日】
平成１１年１０月２６日　（１９９９．１０．２６）
【訂正の要旨】
訂正の要旨
（１）明細書の特許請求の範囲を、以下のように訂正する。
　　　　　　　　　　　　　　　　　記
（１）基地局から送信された選択呼出信号を受信し、この選択呼出信号中の個別呼出符号と予め設定してある自機の個別番号符号が一致した場合に呼出報知を行い、前記選択呼出信号中のメッセージ符号をメッセージ情報として表示手段に表示し、メッセージ情報表示後、一定時間操作が行われなかった場合には自動的にメッセージ情報の表示を消す選択呼出受信機において、
　前記メッセージ符号を前記表示手段が表示するメッセージ情報として記憶する記憶手段と、
　前記表示手段が表示する前記記憶手段に記憶されたメッセージ情報を切り替える切替手段と、
　前記記憶手段が記憶する全てのメッセージ情報を表示したか否かを判別する判別手段と、
　この判別手段の結果に基づき、前記切替手段が押し続けられる場合、前記記憶手段からメッセージ情報を順次読み出し、全てのメッセージ情報を前記表示手段に表示させる表示制御手段と
　を具備することを特徴とする選択呼出受信機。
（２）基地局から送信された情報を受信し、この受信情報を表示手段に表示し、前記受信情報表示後、一定時間操作が行われなかった場合には自動的に前記受信情報の表示を消す無線機において、
　前記受信情報を記憶する記憶手段と、
　前記表示手段が表示する前記記憶手段に記憶される受信情報を切り替える切替手段と、
　前記記憶手段が記憶する全ての受信情報を表示したか否かを判別する判別手段と、
　この判別手段の結果に基づき、前記切替手段が押し続けられる場合、前記記憶手段から受信情報を順次読み出し、全ての受信情報を前記表示手段に表示させる表示制御手段と
　を具備することを特徴とする無線機。
（２）明細書第４頁第２行目乃至第１２行目を以下のように訂正する。
　　　　　　　　　　　　　　　　　記
　本発明の第１の発明は、基地局から送信された選択呼出信号を受信し、この選択呼出信号中の個別呼出符号と予め設定してある自機の個別番号符号が一致した場合に呼出報知を行い、前記選択呼出信号中のメッセージ符号をメッセージ情報として表示手段に表示し、メッセージ情報表示後、一定時間操作が行われなかった場合には自動的にメッセージ情報の表示を消す選択呼出受信機において、前記メッセージ符号を前記表示手段が表示するメッセージ情報として記憶する記憶手段と、前記表示手段が表示する前記記憶手段に記憶されたメッセージ情報を切り替える切替手段と、前記記憶手段が記憶する全てのメッセージ情報を表示したか否かを判別する判別手段と、この判別手段の結果に基づき、前記切替手段が押し続けられる場合、前記記憶手段からメッセージ情報を順次読み出し、全てのメッセージ情報を前記表示手段に表示させる表示制御手段とを具備することを特徴とする選択呼出受信機である。
　また、本発明の第２の発明は、基地局から送信された情報を受信し、この受信情報を表示手段に表示し、前記受信情報表示後、一定時間操作が行われなかった場合には自動的に前記受信情報の表示を消す無線機において、前記受信情報を記憶する記憶手段と、前記表示手段が表示する前記記憶手段に記憶される受信情報を切り替える切替手段と、前記記憶手段が記憶する全ての受信情報を表示したか否かを判別する判別手段と、この判別手段の結果に基づき、前記切替手段が押し続けられる場合、前記記憶手段から受信情報を順次読み出し、全ての受信情報を前記表示手段に表示させる表示制御手段とを具備することを特徴とする無線機である。
（３）明細書の第３頁第１３行目乃至１９行目に、
「以上述べたように…ことを目的とする」
とあるを、
「似上述べた様に、記憶されているメッセージを検索するためにはその都度切替スイッチを押さなければならず、メッセージを検索するためには何回か切替ボタンを押さなければならなかった。
　そこで、本発明ではこれらの問題点を除去し、メッセージの検索を容易に、かつ確実に行うことができる選択呼出受信機及び無線機を提供することを目的とする。」
　と訂正する。
（４）明細書の第４頁１３行目乃至第１８行目に、
「本発明は、…必要がなくなる」
とあるを、
「本発明は、スイッチをある一定時間以上押し続けると表示されるメッセージが一定時間ごとに次々と切り替わる、このため、記憶されたメッセージの検索が容易になり、何回もスイッチを押す必要がなくなる。さらには、記憶されたメッセージが全て表示されるため、メッセージの検索を確実に行うことができる」
　と訂正する。
（５）明細書第８頁第１行目乃至第８行目に、
「以上述べた様に、…使い勝手が向上する。」
　とあるを、
「以上述べた様に、本発明の選択呼出受信機及び無線機では、記憶されたメッセージの内容を見たい場合にはスイッチを押し続けることにより、メッセージ内容を次々と切替えて表示することができるため、スイッチを何度も押す必要がなくなり、メッセージの内容を容易に検索できるようになる。さらには、記憶されたメッセージが全て表示されるため、メッセージの検索を確実に行うことができる。また、選択呼出受信機及び無線機の操作が簡略化でき、使い勝手が向上する。」
　と訂正する。
（５４）【発明の名称】
選択呼出受信機及び無線機
（５７）【特許請求の範囲】
（１）基地局から送信された選択呼出信号を受信し、この選択呼出信号中の個別呼出符号と予め設定してある自機の個別番号符号が一致した場合に呼出報知を行い、前記選択呼出信号中のメッセージ符号を
メッセージ情報として表示手段
メッセージ情報の表示を消す
　
前記メッセージ符号を前記表示手段が表示するメッセージ情報として記憶する記憶手段と、
　
前記表示手段が表示する前記記憶手段に記憶されたメッセージ情報を切り替える切替手段と、
　
前記記憶手段が記憶する全てのメッセージ情報を表示したか否かを判別する判別手段と、
　
この判別手段の結果に基づき、前記切替手段が押し続けられる場合、前記記憶手段からメッセージ情報を順次読み出し、全てのメッセージ情報を前記表示手段に表示させる表示制御手段と
　を具備することを特徴とする選択呼出受信機。
（２）基地局から送信された情報を受信し、この
受信
受信
前記受信情報
　
前記受信情報を記憶する記憶手段と、
　
前記表示手段が表示する前記記憶手段に記憶される受信情報を切り替える切替手段と、
　
前記記憶手段が記憶する全ての受信情報を表示したか否かを判別する判別手段と、
　
この判別手段の結果に基づき、前記切替手段が押し続けられる場合、前記記憶手段から受信情報を順次読み出し、全ての受信情報を前記表示手段に表示させる表示制御手段と
　
を具備することを特徴とする無線機。
【発明の詳細な説明】
〔発明の目的〕
（産業上の利用分野）
　本発明は表示機能付選択呼出受信機及び無線機に関する。
（従来の技術）
　従来、選択呼出受信機及び無線機は鳴音または発光により呼出を行っていたが、近年呼出の際に伝送されたメッセージを表示することのできる新しい選択呼出受信機及び無線機が開発されている。この様な選択呼出受信機及び無線機を用いる選択呼出方式では、基地局で呼出を行うために、個別番号符号と伝送メッセージを符号化したメッセージ符号とからなる選択呼出信号を作成し、この選択呼出信号を呼出そうとする選択呼出受信機及び無線機が属するグループの空いている呼出ワードに挿入して送出する。選択呼出受信機及び無線機では受信した呼出信号の個別番号符号を自機と照合し、両者が一致した場合に鳴音または発光により呼出があった旨を加入者に知らせ、メッセージ符号を解読して表示部に表示する。また、伝送されたメッセージ符号は選択呼出受信機及び無線機内に設けられた記憶装置に記憶される。
　そして、記憶されたメッセージ符号は、加入者が読出操作を行うことにより、メッセージを表示させることができる。この手順を第３図のフローチャートを用いて説明する。まず、加入者が読出操作を行うと、最新メッセージを表示し、これと同時にタイムカウンタをスタートさせる。ここで切替スイッチを押すと、次に記憶されているメッセージを表示する。もし、切替スイッチが一定時間押されなかった場合にはオートリセット機能が動作して表示を消す。
　この様に、記憶されているメッセージの読出の際にはその都度、切替スイッチを押さなければならなかった。このため、メモリされているメッセージを検索するためには、何回も切替スイッチを押さなければならなかった。
（発明が解決しようとする課題）
　以上述べた様に、記憶されているメッセージを検索するためにはその都度切替スイッチを押さなければならず、メッセージを検索するためには何回か切替ボタンを押さなければならなかった。
　そこで、本発明ではこれらの問題点を除去し、メッセージの検索を容易に
、かつ確実に
〔発明の構成〕
（課題を解決するための手段）
　本発明の第１の発明は、基地局から送信された選択呼出信号を受信し、この選択呼出信号中の個別呼出符号と予め設定してある自機の個別番号符号が一致した場合に呼出報知を行い、前記選択呼出信号中のメッセージ符号を
メッセージ情報として表示手段
メッセージ情報の表示を消す
前記メッセージ符号を前記表示手段が表示するメッセージ情報として記憶する記憶手段と、前記表示手段が表示する前記記憶手段に記憶されたメッセージ情報を切り替える切替手段と、前記記憶手段が記憶する全てのメッセージ情報を表示したか否かを判別する判別手段と、この判別手段の結果に基づき、前記切替手段が押し続けられる場合、前記記憶手段からメッセージ情報を順次読み出し、全てのメッセージ情報を前記表示手段に表示させる表示制御手段
　また、本発明の第２の発明は、基地局から送信された情報を受信し、この
受信
受信
前記受信情報
前記受信情報を記憶する記憶手段と、前記表示手段が表示する前記記憶手段に記憶される受信情報を切り替える切替手段と、前記記憶手段が記憶する全ての受信情報を表示したか否かを判別する判別手段と、この判別手段の結果に基づき、前記切替手段が押し続けられる場合、前記記憶手段から受信情報を順次読み出し、全ての受信情報を前記表示手段に表示させる表示制御手段と
（作用）
　本発明は、スイッチをある一定時間以上押し続けると表示されるメッセージが一定時間ごとに次々と切り替わる、このため、記憶されたメッセージの検索が容易になり、何回もスイッチを押す必要がなくなる。
さらには、記憶されたメッセージが全て表示されるため、メッセージの検索を確実に行うことができる。
（実施例）
　以下、本発明の一実施例を図面を用いて説明する。
　第１図は本発明の選択呼出受信機の構成を示すブロック図である。図において、基地局（図示せず）から送られて来る選択呼出信号を受信するアンテナ部１に受信回路２が接続され、さらに復調回路３を介して照合回路４に接続されている。この照合回路４には、この選択呼出受信機固有のコードが記憶されている記憶部５と、鳴音信号や表示の制御を行う制御部６が接続されている。この制御部６には鳴音を発生させる駆動回路７とスピーカ８、受信したメッセージを表示する表示ドライバ９と表示部１０、この表示部１０に表示するメッセージを切替える切替スイッチ１１が接続されている。
　この様な構成において、基地局（図示せず）から送信される選択呼出し信号は、個別番号符号とメッセージ符号から構成されており、この選択呼出信号はアンテナ部１を介して受信回路２で受信され、周波数変換された後、復調回路３で復調され照合回路４に入力される。
　この照合回路４では送られて来た個別番号符号と記憶部５に記憶されている装置固有のコード番号と照合が行われる。この個別番号符号と装置固有のコード番号が一致し、自装置の呼出が行われていることが確認されると、制御部６から駆動回路を介してスピーカ８に鳴音信号が供給され、鳴音が発生される。これとともに、個別番号符号に引き続いて基地局（図示せず）から送られてくるメッセージ符号を受信復号し、照会回路４内のメモリに記憶するとともに、表示ドライバ９を介して表示部１０に表示させる。ここで、照合回路４内のメモリには複数のメッセージを格納することができる様になっており、表示部１０に表示されるメッセージは切替スイッチ１１を押すことにより、次々と切替えられる様になっている。
　ここで、読出操作を行うときのメッセージの表示方法を示すフローチャートを第２図に示す。まず、メッセージの読出操作を行うと、制御部６内に設けられているメモリに記憶されたメッセージのうち、一番目のメッセージを表示する、この場合、通常は新しいメッセージから表示させるようになっている事が多い。これと同時に１のタイムカウンタをスタートさせる。表示開始から切替スイッチ１１を押し続けていると、メッセージの表示が所定時間毎にスクロールして、二番目以降のメッセージ内容を次々と表示部１０に表示していく。このスクロール表示の所定時間は表示開始によりスタートする第１のタイムカウンタで計測する。この様にして全てのメッセージを表示すると、表示を終了させる。また、切替スイッチを途中で離した場合には第２のタイムカウンタをスタートさせ、一定時間経過しても何んら操作が行われない場合には表示を終了させる。
　この様に、記憶されたメッセージの内容を確認したい時は切替スイッチ１１を何度も押す必要がなくなり、メッセージの検索が容易になる。
　なお、以上述べた事は本発明の一実施倒に過ぎず、本発明の要旨を逸脱しない範囲で種々変更できることはいうまでもない。
〔発明の効果〕
　以上述べた様に、本発明の選択呼出受信機及び無線機では、記憶されたメッセージの内容を見たい場合にはスイッチを押し続けることにより、メッセージ内容を次々と切替えて表示することができるため、スイッチを何度も押す必要がなくなり、メッセージの内容を容易に検索できるようになる。
さらには、記憶されたメッセージが全て表示されるため、メッセージの検索を確実に行うことができる。
また、選択呼出受信機及び無線機の操作が簡略化でき、使い勝手が向上する。
【図面の簡単な説明】
第１図は本発明の一実施例を示すブロック構成図、第２図は本発明の選択呼出受信機のメッセージの読出操作を説明するフローチャート、第３図は従来の選択呼出受信機のメッセージの読出操作を説明するフローチャートである。
１……アンテナ部、２……受信回路、３……復調回路、４……照合回路、５……記憶部、６……制御部、７……駆動回路、８……スピーカ、９……表示ドライバ、１０……表示部、１１……切替スイッチ。